(57)【要約】【課題】骨折やアキレス腱断裂等により、一方の脚の膝より下の部位に障害を持つ人が、腕の力に頼らずに、健常者に近い脚を交互に振り出す歩き方で楽に歩行することを可能とする歩行補助具を、軽量、安価に製作することを目的とする。【解決手段】高さを稼ぐ部分に、ハニカム構造や発泡体等の中空コア層と表裏のスキンシートを備えた、前後方向と高さ方向に幅のある、軽量なわりに強度と曲げ剛性の高い積層体１１を用いて装着者の体重を前後方向に広い幅をもって支える構造とした。【選択図】図１
2014039761.tif 000002
【特許請求の範囲】
【請求項１】
一方の脚に傷害を持つ装着者の、患脚側の座骨や大腿骨から体重を受ける座部と、座部に接続された、側面形状が円弧状の接地部を備えた弧台を備える歩行補助具において、高さを稼ぐ部分に、ハニカム構造や発泡体等の中空コア層と表裏のスキンシートを備えた、前後方向と高さ方向に幅のある積層体を備えることを特徴とする歩行補助具。
【請求項２】
前後方向と左右方向に幅が有り、装着者の患脚側の座骨や大腿骨にかかる体重を張力で支持するための、布またはネットなどの張力部材を備えた座部を備えることを特徴とする請求項１に記載の歩行補助具。
【請求項３】
座部と弧台の接続部分に、前後方向に広い幅を隔てて設けられた１対の高さ調整機構を備えたことを特徴とする請求項１に記載の歩行補助具。
【請求項４】
前後方向と高さ方向に幅が有り、装着者の患脚の下腿を下から包み込んで張力で支持するための、布またはネットなどの張力部材を備えた下腿サポートを備えることを特徴とする請求項１に記載の歩行補助具。
【請求項５】
下腿サポートの張力部材の前端部分に、前端の左右を相互に接続することによって膝頭が前方に抜けることを防止するための膝押さえ部を形成するための接続部を備え、接続部における左右相互の対応関係を調整することにより、膝頭の位置を調整することを可能にしたことを特徴とする請求項４に記載の歩行補助具。
【請求項６】
弧台以外の部分を修正するか付け替えることにより、患脚が左右どちら側の場合にでも適合可能にするために、弧台の概略形状を前後対称形、または左右対称形にしたことを特徴とする請求項１に記載の歩行補助具。
【発明の詳細な説明】
【技術分野】
【０００１】
本発明は、骨折やアキレス腱断裂等により、一方の脚に障害を持つ人の歩行を補助するための、歩行補助具に関するものである。
【背景技術】
【０００２】
従来、骨折やアキレス腱断裂等により、一方の脚の膝より下の部位の自由が利かなくなると、歩行補助具として松葉杖やロフストランド杖を用いることが多かった。しかし、これらの杖の使用に際しては、両腕で全体重を支える必要があるため強い腕の力が必要であり、また、両脚を同時に振り出す歩き方をするために、腹筋等全身の筋力を必要とし、長距離の移動は困難であった。
【０００３】
腕の力を用いない歩行補助具の例としては、本出願人の出願による特開２０１２−１１０３９６号公報に記載されたものがある。この発明によれば、装着者の患脚側の座骨や大腿骨から体重を受ける座部と、座部に接続された、側面形状が円弧状をなす接地部を持った弧台を備え、患脚側が立脚になる期間は、弧台を転がしながら前進するため、患脚の膝より下の部位の筋力や腕の力に頼らずに楽に歩行することが可能となる。
【先行技術文献】
【特許文献】
【０００４】
【特許文献１】特開２０１２−１１０３９６号公報
【発明の概要】
【発明が解決しようとする課題】
【０００５】
歩行補助具では、極力多くの装着者に適合させるために、座部の高さを調整する機構が必要となるが、上記特許文献１の発明では、通常の自転車のサドルの高さ調整機構と同じく、高さ調整を座部と弧台を接続する１本の２重管よりなるスライドで行っていた。歩行に伴い、この接続部には前後左右の強い曲げモーメントが集中して加わるため、それに耐えるためには、接続部を頑丈に作る必要があり、歩行補助具の使い勝手の鍵となる、軽さを損なう原因になっていた。
【０００６】
また、接地部は円弧状をなしているため、歩行時には接地部全体のうちのどこか１点が接地する。このため、接地部のどこが接地した場合にも体重を支える強度を保証する必要があり、多数の管材よりなる副支持脚で接地部をまんべんなく支えていた。このため、構造が複雑でコストがかかるとともに、重さも増すという課題があった。
【０００７】
本発明は、一方の脚に障害を持つ人が、腕の力に頼らずに楽に歩行することを可能とする歩行補助具を、軽量、安価に製作することを目的とする。
【課題を解決するための手段】
【０００８】
本発明による歩行補助具は、高さを稼ぐ部分に、中空コア層と表裏のスキンシートを備えた、前後方向と高さ方向に幅のある積層体のパネルを用いることにより、装着者の体重を前後方向に広い幅をもって支えることを最も大きな特徴とする。力を受ける部分の前後幅を広くすると、同じ強さの前後方向モーメントが加わった場合の応力を小さくすることができるので、軽量な構造でもその力に耐えることができる。
【発明の効果】
【０００９】
本発明の歩行補助具は、膝以下の部位の筋力や腕の力に頼らずに、健常者に近い脚を交互に振り出す歩き方で楽に歩行することの出来る歩行補助具を、軽量、安価に製作することが出来るという効果がある。
【図面の簡単な説明】
【００１０】
【図１】図１は完成形の歩行補助具の使用状態を示す側面図である。（実施例１）
【図２】図２は歩行補助具の骨格部分を示す斜視図である。（実施例１）
【図３】図３は見やすくするために、仮に歩行補助具の骨格部分に座部カバー５０のみを被せた状態を示す斜視図である。（実施例１）
【図４】図４は見やすくするために、仮に歩行補助具の骨格部分に下腿サポート４０のみを被せた状態を示す側面図である。（実施例１）
【発明を実施するための形態】
【００１１】
軽量、安価な構造で手の力に頼らず楽に歩行することが可能な歩行補助具を実現した。
【実施例１】
【００１２】
図１は、本発明の実施例１の歩行補助具の使用状態１を示す側面図である。図において、１は左脚の下腿以下をギブス２で固定された、歩行補助具の装着者、１０は歩行補助具の弧台、３０は装着者の患脚側の座骨や大腿骨から体重を受ける座部、４０は装着者の患脚を下から包み込むように支える下腿サポートである。装着者は、患脚の代わりに歩行補助具に体重をかけて歩行することが出来る。以下、それぞれの部分について詳細に説明する。
【００１３】
図２は歩行補助具の骨格部分を示す斜視図である。図において、１１は弧台の高さを稼ぐための積層体であり、樹脂製ハニカム構造の中空コア層と表裏の樹脂製スキンシートを備えた、厚さ２〜３Cm程度の軽量なパネルである。積層体１１の下部は円弧状になっており、剛性の高いゴム製のソール２１が、バンド２２によって固定されている。積層体１１の上部には、アルミ板の中央を緩やかに１８０度折り曲げた形の弧台ヘッド１２ａが被せられており、弧台ヘッド１２ａの両端にはそれぞれアルミ円管よりなる高さ調整機構付き座部ホルダ１２ｂが溶接されている。
【００１４】
座部３０の骨格は、アルミ管をＵ字型に曲げた主フレーム３１に梁３３を固定し、梁３３に副フレーム３２を回動自在に固定し、使用状態では副フレーム３２が回動しないように支柱３４で固定したものである。収納時には支柱３４を外し、副フレーム３２を折りたたむことが可能となっている。
【００１５】
主フレーム３１の両端は、高さ調整機構付き座部ホルダ１２ｂに差し込まれ、留め穴１３を貫通するピン１４で固定されている。留め穴１３は複数設けられており、座部の高さが調整できるようになっている。
【００１６】
図３は見やすくするために、仮に歩行補助具の骨格部分に座部カバー５０のみを被せた状態を示す斜視図である。図において、５１は座部カバーの本体を構成する、帆布などの丈夫な素材でできた張力部材、５２は座部を装着者の大腿部に固定するためのベルト、５３は左右のベルトを連結し、長さを調整するためのバックルである。
【００１７】
図４は見やすくするために、仮に歩行補助具の骨格部分に下腿サポート４０のみを被せた状態を示す側面図である。図において、４１は下腿サポートの本体を構成する、帆布などの丈夫な素材でできた張力部材、４２は下腿サポートに縫いつけられたベルト、４４は張力部材４１に開けられ、ハトメで補強された２セットの紐穴群よりなる接続部であり、相互に接続することによって膝頭が前方に抜けることを防止するための膝押さえ部を形成する。４５は下腿サポートの健脚側上部を主フレーム３１の上部に引っかけるための肩布である。
【００１８】
図１は、歩行補助具の骨格部分に、座部カバー５０と下腿サポート４０の両方を被せた完成形を装着者が使用している状態である。図において、４３はバックル、４６は２セットの紐穴群よりなる接続部４４を相互に接続するための紐である。下腿サポートの張力部材４１は下腿を下から包むように折り返され、その外側は、ベルト４２によって座部の副フレーム３２の上部に引っかけられている。
【００１９】
張力部材４１は布製で有り、折り曲げ方向には自由に変形させることができるので、装着者は、接続部４４は接続したままで、副フレーム３２の上部に引っかけられたベルト４２とバックル５３を着脱するだけの操作で、楽に歩行補助具を着脱することができる。
【００２０】
本発明によれば、弧台に前後方向に幅のある積層体のパネルを用いたので、下腿サポートの前後に設けられた１対の肩布４５に、座部のフレームを介して前後方向からの張力を与えることができる。このため、装着者が下腿の前後方向に力を加えた場合にも、大きく変形することなく下腿サポートの形状を保つことができる。
【００２１】
張力部材４１は折り曲げ方向には自由に変形させることができるため、装着者の体格に合わせる調整も簡単である。バックル４３によってベルト４２の長さを調整することおよび、２セットの紐穴群よりなる接続部４４の相互の対応関係をずらすことにより、下腿の保持高さを調整することが可能であり、紐の締め加減を調整することにより、膝頭の前後位置を調整することが可能である。
【００２２】
２セットの紐穴群４４の間隙部分にも連続して紐穴を開け、紐穴群を連続させておけば、相互の対応関係のずらし幅を広くとることができるので、膝頭の位置の調整代をさらに大きく取ることができる。
【００２３】
積層体のパネルは、中空なコア層と表裏のスキンシートで構成されているため、金属板や金属管と比べれば局所的な強度は弱いが、厚さが２〜３Cm程度もあるために、パネルの広い部分に加わる力に対しては、重量が軽いわりには非常に強く、また、曲げ剛性も高い。したがって、装着者が体を捻るなどして座部に無理な横方向の曲げモーメントを加えた場合にも、弧台はその力に余裕を持って耐え、しなりも小さく抑えることができる。
【００２４】
また、積層体１１は前後方向に広い幅を持っており、弧台ヘッド１２ａを介して前後方向に広い幅を隔てて設けられた１対の高さ調整機構付き座部ホルダ１２ｂで座部３０を支えているので、装着者が体を屈曲させるなどして座部に無理な前後方向の曲げモーメントを加えた場合にも発生する応力は小さくなる。したがって、弧台はその力に余裕を持って耐え、しなりも小さく抑えることができる。
【００２５】
ソール２１は、歩行時に１点で地面と接するが、ソールの剛性は高くしてあるので、接地点から受ける力を積層体下面の広い部分に分散させることができるため、積層体はその力に耐えることができる。ソールの剛性が足らない場合には、ソールと積層体の間に、剛性の高いバックアップ材を挟み、接地点から受ける力に対する剛性を上げるようにしても良い。
【００２６】
座部カバー５０は、ハンモックと同様に張力部材５１に前後左右から張力を加えることによって装着者の体重を広い面で受けるしくみになっている。このため、軽さのわりに装着者への当たりをソフトにすることができる。本発明によれば、弧台に前後方向に幅のある積層体のパネルを用いたので、座部３０のフレームを介して無理なく座部カバー５０に前後方向から張力を与えることができる。
【００２７】
弧台１０は左右対称形なので、座部３０と下腿サポート４０を左右対称な形のものに付け替えれば、患脚が左右どちら側の場合にでも適合可能である。
【００２８】
弧台１０は前後対称形でもあるので、図１において、副フレーム３２が弧台の右側に来るように弧台の前後を１８０度反転し、副フレームを後方に下げ、座部カバー５０と下腿サポート４０を裏返して使用するか右脚用のものに付け替えれば、患脚が右脚の場合でも適合可能である。
【００２９】
以上のように、実施例１では、弧台を積層体のパネルで形成したので、一方の脚の膝より下の部位に傷害を持つ装着者が、患脚の下腿以下には全く負担をかけず、また、手の力にも全く頼らずに、健常者に近い脚を交互に出す歩き方で楽に歩行することの出来る歩行補助具を軽量、安価に製作することができる。
【００３０】
上記実施例では、弧台側に積層体を設けたが、積層体の使用部位は高さを稼ぐ部位であればどこでも良く、座部側の下部に設けても良い。この場合、高さ調整機構は積層体と弧台の間に設けられることになる。
【００３１】
また、上記実施例では、歩行補助具を持ち上げる力はベルト５２のみに頼ったが、脚を引き上げる力の弱い装着者を対象とする場合には、歩行補助具の何れかの部位に吊り手を備え、腰や肩、腕などから懸吊する構造としても良い。この構造によると、装着はやや面倒になるが、脚の引き上げが楽になり、患脚を振り出すときの床面とのクリアランスを取りやすくなるため、接地部が床面にひっかかって蹴躓く危険が小さくなる。
【００３２】
また、上記実施例は、下腿に障害を持つ装着者を想定したが、下腿や膝以下を欠損した装着者が使用する場合は、膝押さえとしてソケットを備え、義足として用いても良い。
【産業上の利用可能性】
【００３３】
骨折やアキレス腱断裂等により、一方の脚の自由が利かなくなった人が、腕の力を酷使する松葉杖やロフストランド杖を用いることなく、主に脚の力だけで自由に歩行することが可能になる。また、下腿以下を欠損した人が義足として使用することも可能である。
【符号の説明】
【００３４】
１  装着者
２  ギブス
１０  弧台
１１  積層体
１２ａ  弧台ヘッド
１２ｂ  高さ調整機構付き座部ホルダ
１３  留め穴
１４  ピン
２１  ソール
２２  バンド
３０  座部
３１  主フレーム
３２  副フレーム
３３  梁
３４  支柱
４０  下腿サポート
４１  張力部材
４２  ベルト
４３  バックル
４４  接続部
４５  肩布
４６  紐
５０  座部カバー
５１  張力部材
５２  ベルト
５３  バックル
【図１】
2014039761.tif 000003
【図２】
2014039761.tif 000004
【図３】
2014039761.tif 000005
【図４】
2014039761.tif 000006